(57)【特許請求の範囲】
【請求項１】
長方形状を成す絶縁基板の上面に、該絶縁基板の一方の長辺に沿って多数の発熱抵抗体を、他方の長辺に沿って複数個のドライバーＩＣを配列・搭載し、且つ、該各ドライバーＩＣの端子電極に接続される複数の導電層を有するヘッド本体と、外部電気回路からの印画制御信号または外部電源からの電力を前記導電層を介して前記ドライバーＩＣに供給するための複数の配線導体を有するフレキシブル配線板とから成り、前記ヘッド本体と前記フレキシブル配線板とを並設させるとともに前記ヘッド本体の前記導電層に前記フレキシブル配線板の前記配線導体を接続させたサーマルヘッドにおいて、
前記フレキシブル配線板の一部が前記ヘッド本体の前記絶縁基板上に搭載した前記各ドライバーＩＣ間の領域に凸形状をなすように延出されることにより延出部が形成され、
該延出部において、前記配線導体が、前記延出部の前記発熱抵抗体側の主走査方向に沿って延びる縁に沿って延びているとともに、前記延出部の主走査方向の両端部で、前記配線導体の主走査方向の両端部が中央部よりも前記延出部の前記縁により近く配置されており、
前記延出部の主走査方向の両端部および中央部で前記配線導体と前記導電層とが半田接合されていることを特徴とするサーマルヘッド。
【請求項２】
前記半田接合部が前記延出部の前記発熱抵抗体側の端部近傍に位置していることを特徴とする請求項１に記載のサーマルヘッド。
【請求項３】
前記延出部の主走査方向の幅が前記発熱抵抗体側に向かって漸次狭くなっていることを特徴とする請求項１または２に記載のサーマルヘッド。
【請求項４】
前記延出部が略台形状をなしており、かつ該延出部の前記発熱抵抗体側の角部に丸みが設けられていることを特徴とする請求項３に記載のサーマルヘッド。
【発明の詳細な説明】
【０００１】
【発明の属する技術分野】
本発明は、ワードプロセッサ、ファクシミリ等のプリンタ機構として組み込まれるサーマルヘッドに関するものである。
【０００２】
【従来技術】
従来、ワードプロセッサ等のプリンタ機構として組み込まれるサーマルヘッドは、例えば図５に示す如く、長方形状を成す絶縁基板１１ａの上面に多数の発熱抵抗体１２、複数個のドライバーＩＣ１３等を各々搭載し、且つ、各ドライバーＩＣ１３の端子電極に接続される複数の導電層１４を形成して成るヘッド本体１１と、複数の配線導体１９を有した印刷配線板１６とから成り、前記ヘッド本体１１と印刷配線板１６とを併設させるとともに前記ヘッド本体１１の導電層１４に印刷配線板１６の配線導体１９を電気的に接続させた構造を有している。
【０００３】
また前記ヘッド本体１１上の多数の発熱抵抗体１２は絶縁基板１１ａの一方の長辺Ａに沿って直線状に配列され、前記複数個のドライバーＩＣ１３は前記発熱抵抗体１２の配列とほぼ平行に絶縁基板１１ａの他方の長辺Ｂから所定の距離だけ離れた位置に配列されている。
【０００４】
そして前記発熱抵抗体１２の両端には個別電極１７及び共通電極１８が接続されており、個別電極１７はドライバーＩＣ１３内のスイッチングトランジスタ等を介してグランド電位に、共通電極１８は例えば２４Ｖの電位に保持されている。従って、外部からの画像データに基づいて前記スイッチングトランジスタのオン・オフを制御することにより、発熱抵抗体１２を個々に選択的にジュール発熱させ、これらの熱を感熱記録媒体に伝導させることによって所定の印画が形成される。
【０００５】
尚、ヘッド本体１１の導電層１４や印刷配線板１６の配線導体１９は外部電気回路（プリンタ本体の制御回路）からの種々の印画制御信号等（画像データ、ラッチ信号、ストローブ信号、クロック信号、ＶDD、ＧＮＤ）を各ドライバーＩＣ１３に供給するためのものであり、前記導電層１４はドライバーＩＣ１３の近傍から絶縁基板１１ａの他方の長辺Ｂの近傍まで導出された上、この導出部で印刷配線板１６の配線導体１９に半田等の導電性接着剤を介して接続されていた。
【０００６】
【発明が解決しようとする課題】
しかしながら、上述した従来のサーマルヘッドにおいては、印刷配線板１６の配線導体１９を、ドライバーＩＣ１３と絶縁基板１１ａの他方の長辺Ｂとの間の領域で導電層１４に接続するようになっているため、ドライバーＩＣ１３の搭載位置と絶縁基板１１ａの他方の長辺Ｂとの間には印刷配線板１６の配線導体１９と導電層１４とを接続するための広いスペースＳを設けなければならず、それ故、サーマルヘッドの副走査方向（発熱抵抗体１２の配列と直交する方向）の小型化に大きな制約を受けていた。
【０００７】
そこで上記欠点を解消するために、印刷配線板１６の一部を前記ヘッド本体１１の絶縁基板１１ａ上に搭載した各ドライバーＩＣ間の領域まで延出させるとともに、該延出部で配線導体１９と導電層１４とを接続することによって、複数個のドライバーＩＣ１３を絶縁基板１１ａの他方の長辺Ｂの近傍に配置させ、サーマルヘッドを副走査方向に小型化することが提案されている。
【０００８】
ところが、上述の如く、印刷配線板１６の一部を隣接するドライバーＩＣ間の領域に凸形状をなすように延出させるとともに、該延出部Ｄで印刷配線板１６の配線導体１９とヘッド本体１１の導電層１４とを半田接合させてサーマルヘッドを構成した場合、印刷配線板１６として可撓性を備えたフレキシブル配線板を使用すると、ドライバーＩＣ１３間の領域に延出させた凸形状の延出部Ｄが環境温度の変化に伴う熱的・機械的ストレスによって大きく反り、半田接合部の両側部分が浮き上がってしまう（図６参照）。この場合、感熱記録媒体を発熱抵抗体１２上に搬送して印画を行うと、感熱記録媒体が浮き上がってしまったフレキシブル配線板の延出部Ｄに強く当たり、感熱記録媒体を著しく傷つけてしまったり、或いは、感熱記録媒体を安定的に走行させることが不可になるといった欠点が誘発される。
【０００９】
【課題を解決するための手段】
本発明は上記欠点に鑑み案出されたもので、本発明のサーマルヘッドは、長方形状を成す絶縁基板の上面に、該絶縁基板の一方の長辺に沿って多数の発熱抵抗体を、他方の長辺に沿って複数個のドライバーＩＣを配列・搭載し、且つ、該各ドライバーＩＣの端子電極に接続される複数の導電層を有するヘッド本体と、外部電気回路からの印画制御信号または外部電源からの電力を前記導電層を介して前記ドライバーＩＣに供給するための複数の配線導体を有するフレキシブル配線板とから成り、前記ヘッド本体と前記フレキシブル配線板とを並設させるとともに前記ヘッド本体の前記導電層に前記フレキシブル配線板の前記配線導体を接続させたサーマルヘッドにおいて、前記フレキシブル配線板の一部が前記ヘッド本体の前記絶縁基板上に搭載した前記各ドライバーＩＣ間の領域に凸形状をなすように延出されることにより延出部が形成され、該延出部において、前記配線導体が、前記延出部の前記発熱抵抗体側の主走査方向に沿って延びる縁に沿って延びているとともに、前記延出部の主走査方向の両端部で、前記配線導体の主走査方向の両端部が中央部よりも前記延出部の前記縁により近く配置されており、前記延出部の主走査方向の両端部および中央部で前記配線導体と前記導電層とが半田接合されていることを特徴とするものである。
【００１０】
また本発明のサーマルヘッドは、前記半田接合部が前記延出部の前記発熱抵抗体側の端部近傍に位置していることを特徴とするものである。
【００１１】
更に本発明のサーマルヘッドは、前記延出部の主走査方向の幅が前記発熱抵抗体側に向かって漸次狭くなっていることを特徴とするものである。
【００１２】
また更に本発明のサーマルヘッドは、前記延出部が略台形状をなしており、かつ該延出部の前記発熱抵抗体側の角部に丸みが設けられていることを特徴とするものである。
【００１３】
【発明の実施の形態】
以下、本発明を添付図面に基づいて詳細に説明する。図１は本発明の一形態に係るサーマルヘッドの平面図、図２は図１のＸ−Ｘ線断面図、図３は図１のサーマルヘッドの要部拡大図、図４は図１のＹ−Ｙ線断面図であり、１はヘッド本体、１ａは絶縁基板、２は発熱抵抗体、５はドライバーＩＣ、６は導電層、８はフレキシブル配線板、９は配線導体である。
【００１４】
前記ヘッド本体１は、絶縁基板１ａの上面に、該基板１ａの一方の長辺Ａに沿って多数（１７２８個）の発熱抵抗体２を、他方の長辺Ｂに沿って複数個のドライバーＩＣ５を各々配列搭載し、且つ、各ドライバーＩＣ５の入力用端子電極に接続される複数の導電層６を形成した構造を有している。
【００１５】
前記絶縁基板１ａは所定の長方形状（２２９．０ｍｍ×５．５７ｍｍ）を成しており、例えばアルミナセラミックスによって形成する場合、アルミナ、シリカ、マグネシア等のセラミックス材料粉末を適当な有機溶剤、溶媒を添加混合して泥漿状に成すとともにこれを従来周知のドクターブレード法を採用することによってセラミックグリーンシートを得、しかる後、該セラミックグリーンシートを所定の長方形状に打ち抜いた上、高温（約１６００℃）で焼成することによって製作される。
【００１６】
また、前記絶縁基板１ａの一方の長辺Ａに沿って配列される多数の発熱抵抗体２は、その各々がＴａＳｉＯ系，ＴｉＳｉＯ系等の電気抵抗材料から成っており、それ自体が所定の電気抵抗率を有しているため、個別電極３及び共通電極４を介して所定の電力が印加されるとジュール発熱を起こし、感熱記録媒体に印画を形成するのに必要な温度、例えば１５０℃〜２５０℃の温度となる。
【００１７】
尚、前記発熱抵抗体２の両端には個別電極３及び共通電極４が接続されており、これら電極３、４はアルミニウム、銅等の金属材料により形成され、発熱抵抗体２をジュール発熱させるための所定の電力を供給する作用を為す。
【００１８】
これら多数の発熱抵抗体２、個別電極３及び共通電極４は、従来周知のスパッタリング法及びフォトリソグラフィー技術等を採用することによって絶縁基板１ａの上面に所定厚み、所定パターンに被着形成される。
【００１９】
また、前記絶縁基板１ａの他方の長辺Ｂに沿って配列される複数個のドライバーＩＣ５は、隣接するドライバーＩＣ５間に約１８ｍｍの間隔を空けて配列しており、その各々がシフトレジスタ、ラッチ回路、スイッチングトランジスタ等の論理回路を９６〜２５６ビットずつ内蔵し、前記多数の発熱抵抗体２を外部からの画像データ等に対応させて選択的にジュール発熱させる作用、具体的には個別電極３及び共通電極４を介して各発熱抵抗体２に印加される電力のオン・オフを制御する作用を為す。
【００２０】
前記複数個のドライバーＩＣ５は、各々の下面に前記スイッチング素子に接続される複数個の出力用端子電極と後述する導電層６に接続される複数個の入力用端子電極とを有しており、このようなドライバーＩＣ５の下面を絶縁基板１ａの上面に対面させ、前記出力用端子電極を個別電極３に、また前記入力用端子電極を導電層６にそれぞれ半田を介して接続させることによりドライバーＩＣ５が絶縁基板１ａ上に搭載される。
【００２１】
尚、これらのドライバーＩＣ５は、エポキシ樹脂等の封止材１０でもって個別に被覆され、該封止材１０はドライバーＩＣ下面の論理回路等を大気中に含まれている水分等の接触による腐食や外力の印加による破損等を有効に防止する作用を為す。
【００２２】
また、前記絶縁基板１ａの上面に形成されている複数の導電層６はドライバーＩＣ５の入力用端子電極に電気的に接続されており、外部電気回路（プリンタ本体の制御回路）からの種々の印画制御信号（画像データ、ラッチ信号、ストローブ信号、クロック信号）や外部電源からの電力（ＶDD、ＧＮＤ）を各ドライバーＩＣ５等に供給したり、或いは、隣接するドライバーＩＣ５間で印画制御信号を転送したりするようになっている。
【００２３】
尚、前記複数の導電層６のうち、ドライバーＩＣ５のグランド端子電極に接続されるＧＮＤ用の導電層６とドライバーＩＣ５の電源端子電極に接続されるＶDD用の導電層６とは、各ドライバーＩＣ５の搭載位置から隣接するドライバーＩＣ５間の領域まで導出されており、それ以外の導電層６はドライバーＩＣ５の列の外側位置から該列の先端及び後端に位置するドライバーＩＣ５の搭載位置まで導出されたり、或いは、隣接するドライバーＩＣ５の搭載位置同士をつなぐように形成されている。
【００２４】
これら複数の導電層６は、前述した個別電極３等と同様に、アルミニウム、銅等の金属材料を従来周知のスパッタリング法及びフォトリソグラフィー技術を採用し、絶縁基板１ａの上面に所定パターンに被着させることにより形成される。
【００２５】
また一方、前記フレキシブル配線板８は、例えば、ポリイミド樹脂等から成るベースフィルム上に銅等の金属材料から成る複数の配線導体９を被着させるとともにこれら配線導体９をポリイミド樹脂等から成るカバーフィルムで被覆し、更にその一端にコネクタＣを取着した構造を有しており、このようなフレキシブル配線板８をヘッド本体１に並設し、フレキシブル配線板８の配線導体９をヘッド本体１の共通電極４、導電層６等に電気的に接続させることでヘッド本体１の発熱抵抗体２及びドライバーＩＣ５に外部電気回路からの種々の印画制御信号や外部電源からの電力等を供給するようになっている。
【００２６】
更に前記フレキシブル配線板８は、その一部がヘッド本体１の絶縁基板１ａ上に搭載した複数個のドライバーＩＣ５の間の領域に凸形状をなすように延出されており、該延出部Ｄで配線導体９と導電層６のうち少なくとも１つ（例えば、ＧＮＤ用の導電層６、ＶDD用の導電層６等）とを半田を介して電気的に接続している。
【００２７】
前記フレキシブル配線板８の延出部Ｄは、具体的には、主走査方向（発熱抵抗体２の配列と平行な方向）の幅を発熱抵抗体２側に向かって漸次狭くなした略台形状を成しており、その発熱抵抗体２側角部には曲率半径０．５ｍｍ〜１２．０ｍｍの丸みが設けてある。
【００２８】
このように、フレキシブル配線板８の一部を隣接するドライバーＩＣ５間の領域まで延出し、この延出部Ｄで配線導体９と導電層６とを接続させることにより、ドライバーＩＣ５の搭載位置と絶縁基板１ａの他方の長辺Ｂとの間にはフレキシブル配線板８の配線導体９と導電層６とを接続するための広いスペースを確保する必要がなくなり、複数個のドライバーＩＣ５を絶縁基板１ａの他方の長辺Ｂの近傍に配置させることによってサーマルヘッドを副走査方向（発熱抵抗体２の配列と直交する方向）に小型化することができる。
【００２９】
尚、ここでフレキシブル配線板８の延出部Ｄを略台形状に加工しておくのは、絶縁基板上面の出来るだけ広い領域がフレキシブル配線板８で被覆されるようになすためである。
【００３０】
そして本形態において最も重要な点は、先に述べた各延出部Dの主走査方向の両端部で前記配線導体9と前記導電層6とを半田接合させるようになした点である。
【００３１】
前記配線導体９と前記導電層６との半田接合部（図３の斜線部）は、各延出部Ｄの発熱抵抗体２側端部近傍に位置しており、本形態では各延出部Ｄの主走査方向の両端部のみならず、主走査方向の中央部でも半田接合させるようにしている。
【００３２】
このように、フレキシブル配線板８の配線導体９を各延出部Ｄの主走査方向の両端部で導電層６と半田接合させるようになしたことから、フレキシブル配線板８の各延出部Ｄは、主走査方向の両端付近が前記半田接合部でもってヘッド本体１に対し強固に固着されることとなり、各延出部Ｄの両側が環境温度の変化に伴う熱的・機械的ストレスによって浮くということはない。従って、感熱記録媒体を発熱抵抗体２上に搬送させて印画を行う際、感熱記録媒体がフレキシブル配線板８に対して強く当たるのが有効に防止されるようになり、感熱記録媒体表面の傷の発生を有効に防止するとともに感熱記録媒体を安定走行させることにより、印画品質を向上させることが可能となる。
【００３３】
尚、前記ヘッド本体１及びフレキシブル配線板８はアルミニウム等の金属材料から成る放熱板７上に両面テープ等を介して載置され、これによってヘッド本体１及びフレキシブル配線板８が共通の放熱板７上で支持されることとなる。
【００３４】
かくして上述した本形態のサーマルヘッドは、ドライバーＩＣ５の駆動に伴って個別電極３及び共通電極４間に所定の電力を印加し、多数の発熱抵抗体２を外部からの画像データに基づいて個々に選択的にジュール発熱させるとともに、該発熱した熱を感熱記録媒体に伝導させ、感熱記録媒体に所定の印画を形成することによってサーマルヘッドとして機能する。
【００３５】
尚、本発明は上述の形態に限定されるものではなく、本発明の趣旨を逸脱しない範囲において種々の変更、改良等が可能である。
【００３６】
【発明の効果】
本発明のサーマルヘッドによれば、ドライバーＩＣの搭載位置と絶縁基板の長辺との間に、フレキシブル配線板の配線導体とドライバーＩＣの端子電極に接続される導電層とを接続するための広いスペースを確保する必要がなくなり、複数個のドライバーＩＣを絶縁基板の長辺の近傍に配置することができる。これにより、サーマルヘッドを小型化することができ、製品としてのサーマルヘッドを安価になすことが可能になる。
【００３７】
また本発明のサーマルヘッドによれば、フレキシブル配線板の配線導体を前記延出部の主走査方向の両端部で導電層と半田接合させるようになしたことから、フレキシブル配線板の延出部は、主走査方向の両端付近が前記半田接合部でもってヘッド本体に対し強固に固着されることとなり、延出部の両側が環境温度の変化に伴う熱的・機械的ストレスによって浮くということもない。従って、感熱記録媒体を発熱抵抗体上に搬送させて印画を行う際、感熱記録媒体がフレキシブル配線板に強く当たることはなく、感熱記録媒体表面の傷の発生を有効に防止するとともに感熱記録媒体を安定走行させることにより、印画品質を向上させることが可能となる。
【図面の簡単な説明】
【図１】本発明の一形態に係るサーマルヘッドの平面図である。
【図２】図１のＸ−Ｘ線断面図である。
【図３】図１のサーマルヘッドの要部拡大図である。
【図４】図１のＹ−Ｙ線断面図である。
【図５】従来の第1のサーマルヘッドの平面図である。
【図６】従来の第2のサーマルヘッドの要部拡大図である。
【符号の説明】
１・・・ヘッド本体、１ａ・・・絶縁基板、２・・・発熱抵抗体、３・・・個別電極、４・・・共通電極、５・・・ドライバーＩＣ、６・・・導電層、７・・・放熱板、８・・・フレキシブル配線板、９・・・配線導体、Ａ・・・絶縁基板の一方の長辺、Ｂ・・・絶縁基板の他方の長辺、Ｃ・・・コネクタ、Ｄ・・・フレキシブル配線板の延出部
【図１】
0004637322.tif 000002
【図２】
0004637322.tif 000003
【図３】
0004637322.tif 000004
【図４】
0004637322.tif 000005
【図５】
0004637322.tif 000006
【図６】
0004637322.tif 000007